(57)【要約】【課題】不用意にフェースプレート９を開いてしまうことが防止でき、打出通路内１１で詰まったステープルの除去が容易にできるようにする。【解決手段】打出通路１１内へ給送されたステープルを打出通路１１から打ち出すようにしたホッチキスにおいて、打出通路１１を形成するフェースプレート９の両側縁から支持片１２を一体に形成し、該支持片１２を介してフェースプレート９をカートリッジ１に回動可能に取り付けるとともに、フェースプレート９を打出通路１１を形成する位置に保持する保持手段１４を形成し、更に前記保持手段１４によるフェースプレート９の保持状態を解除させる解除操作部１５をカートリッジ１の内部に形成した。【選択図】      図３
2004291101.tif 000002
【特許請求の範囲】
【請求項１】
カートリッジに収容されたステープルを打出部に形成された打出通路内へ給送するとともに該ステープルをドライバプレートによって綴じ用紙に向けて打ち出し、綴じ用紙を貫通したステープルの脚を前記ドライバプレートと対向して配置されたクリンチャ機構によって折り曲げるようにしたホッチキスにおいて、前記カートリッジの前端部において打出通路を形成するフェースプレートの両側縁から支持片を一体に形成し、該支持片を介してフェースプレートをカートリッジに回動可能に取り付けるとともに、前記フェースプレートを打出通路を形成する位置に保持する保持手段を形成し、更に、前記保持手段によるフェースプレートの保持状態を解除させる解除操作部をカートリッジ本体の内部に形成したことを特徴とするホッチキス用カートリッジ。
【発明の詳細な説明】
【０００１】
【発明の属する技術分野】
本発明は、カートリッジに収納されているステープルを順次打出部へ供給し、打出部に形成された打出通路内に供給されたステープルをドライバプレートにより綴じ用紙に向けて打ち出し、更に綴じ用紙を貫通したステープルの脚をクリンチャ機構により綴じ用紙の裏面に沿って折り曲げることによって綴じ用紙を綴るようにしたホッチキス用カートリッジに関する。
【０００２】
【従来の技術】
電動モータの駆動によりドライバプレートを駆動してステープルを順次打ち出すようにした電動ホッチキスにおいては、先端部に打出部が形成されたカートリッジに多数のステープルを収容するとともに該カートリッジを電動ホッチキスのマガジン部に装着して、カートリッジ内のステープルを前記打出部に形成された打出通路へ順次供給するとともに、打出部に形成されたステープルを電動モータによって駆動されるドライバプレートにより打出通路の端面に配置された綴じ用紙に向けて打ち出し、綴じ用紙を貫通したステープルの脚をクリンチャ部によって綴じ用紙の裏面に沿って屈曲させてステープル止めを行うようにしたカートリッジタイプの電動ホッチキスが知られている。
【０００３】
前記カートリッジの先端部にはカートリッジの前端面と間隔を隔ててフェースプレートが取り付けられており、該フェースプレートの後方側の面にはステープル脚を綴じ用紙に向けてガイドするステープルガイド溝が形成され、このフェースプレートのステープルガイド溝とカートリッジの前端面とによって先頭のステープルの一本を綴じ用紙に向けて打ち出すための打出通路が形成されている。電動ホッチキスの本体側には電動モータによって往復駆動されるドライバプレートとクリンチャ機構が設けられており、このドライバプレートが前記打出通路内に進入して該打出通路内に配置された先頭のステープルを綴じ用紙に向けて打ち出すようにされている。
【０００４】
ところで、前述の電動ホッチキスにおいては綴じ用紙を厚く挿入してしまった場合等には、ドライバプレートによって打出通路から打ち出されるステープルの脚が綴じ用紙を貫通できず、ステープルの脚部が座屈して前記打出通路内に詰まってしまうことが希に発生する。この場合には、詰まったステープルを打出通路内から除去するために、打出通路を形成しているフェースプレートを移動又は回転させて前記打出通路を開放させる作業が必要となる。このため、従来の電動ホッチキスでは、フェースプレートをカートリッジの本体部に対して回動可能に支持させて、該フェースプレートを打出通路を形成する位置に回動させた状態でカートリッジ本体部に形成したＬ形係合片部材によって保持させておき、打出通路内で針詰まりが発生したときに前記Ｌ形係合片を操作してフェースプレートとカートリッジ本体との保持状態を解除させてフェースプレートをバネ力によって回転させて打出通路を開放させるようにしている（たとえば特許文献１参照）。
【０００５】
【特許文献１】
特許第３０５０３６２号公報（段落００２３、図６）
【０００６】
上記従来の電動ホッチキスでは、フェースプレートとカートリッジ本体とを係合させているＬ形係合片がフェースプレートの前面側に突出して配置されており、このＬ形係合片を押圧操作することによってフェースプレートとカートリッジ本体との係合状態を解離させるようにしている。このため、不用意にＬ形係合片を操作してしまったり又は、カートリッジをホッチキスに装着する際にＬ形係合片がホッチキス本体に接触してフェースプレートが回動してしまうことが発生する。このようにフェースプレートが開いてしまうと、コ字状に成形されたステープルの脚部がフェースプレートに形成されているステープルガイド溝から逸脱してしまい、再度フェースプレートを閉じたとしてもステープルの脚がステープルガイド溝に収容されない状態となって、ステープル脚の座屈を発生させる原因となっている。
【０００７】
【発明が解決しようとする課題】
本発明は、座屈等によってステープルの打出通路内で詰まってしまったステープルの除去が容易にできるとともに、不用意にフェースプレートを開いてしまうことのないホッチキス用カートリッジを提供することを課題とする。
【０００８】
【課題を解決するための手段】
上記課題を解決するため本発明のホッチキス用のカートリッジは、カートリッジに収容されたステープルを打出部に形成された打出通路内へ給送するとともに該ステープルをドライバプレートによって綴じ用紙に向けて打ち出し、綴じ用紙を貫通したステープルの脚を前記ドライバプレートと対向して配置されたクリンチャ機構によって折り曲げるようにしたホッチキスにおいて、前記カートリッジの前端部において打出通路を形成するフェースプレートの両側縁から支持片を一体に形成し、該支持片を介してフェースプレートをカートリッジに回動可能に取り付けるとともに、前記フェースプレートを打出通路を形成する位置に保持する保持手段を形成し、更に、前記保持手段によるフェースプレートの保持状態を解除させる解除操作部をカートリッジ本体の内部に形成したことを特徴とする。
【０００９】
【発明の実施の形態】
以下、本発明を電動ステープラーに適用した場合の実施の形態を図に示す実施例に基づいて説明する。図１及び図２は電動ホッチキス本体に装着される本発明のカートリッジ１を示すもので、このカートリッジ１内には直状のステープル素材を多数並べて接着して平面状に形成されたシート状ステープル２が多数積層して収容されており、最下層のシート状ステープル２をカートリッジ１の先端側に形成されている打出部３へ順次供給するとともに、電動ホッチキス本体に設けたフォーミングプレートによって先頭のステープル素材をコ字形に成形し、更にその後電動ホッチキスに設けられているドライバプレートによってコ字形に成形されたステープルを綴じ用紙に向けて打ち出すようにされたものである。
【００１０】
前記カートリッジ１にはシート状ステープル２を積層して収容する収容部４が形成されており、この収容部４内の下部には収容部４内に収容したシート状ステープル２を前記打出部まで案内するステープルガイド板５が形成されている。収容部の上部にはバネ６により押圧付勢されたプッシャ７が配置されており、収容部４内に収容されたシート状ステープル２を前記ステープルガイド板５の上面へ向けて押圧付勢させている。収容部４に収容された最下層のシート状ステープル２が前記ステープルガイド板５によって案内されてカートリッジ１の先端部に形成された打出部３へ順次供給されるようにしている。
【００１１】
シート状ステープル２を収容する収容部４と前記打出部３との間には前記ステープルガイド板５と協働してシート状ステープル２を打出部３まで案内する供給ガイド８が形成されており、この供給ガイド８の前端面と間隔を隔ててフェースプレート９が配置されている。フェースプレート９の裏面側にはコ字形に成形されたステープルＳを収容するステープルガイド溝１０が形成されており、このステープルガイド溝１０と前記供給ガイド８の前端面との間にステープルＳを綴じ用紙に向けて打ち込みガイドさせる打出通路１１が形成されている。ステープルガイド板５と供給ガイド８によって打出部３へ供給されたシート状ステープル２は、打出通路１１の直前でフォーミングプレートによってコ字形に成形され、コ字形に成形されたステープルＳが打出通路１１のステープルガイド溝１０内へ供給されてドライバプレートによって打出通路１１から図中上方へ向けて打ち出されるようにされている。
【００１２】
図３に示すように、フェースプレート９の両側縁から後方に向けて一体に支持片１２がフェースプレート９と一体に形成されており、この両支持片１２の後端部がカートリッジ１の側面に形成された突起１３によって回動可能に支持され、これによってフェースプレート９が供給ガイド８の前端面と対峙されて打出通路１１を形成する位置と、図２に示すように、供給ガイド８の前端面から離れて打出通路１１を開放する位置との間で、打出通路１１からステープルＳを打ち出す方向と逆の方向に向けて回動が可能に支持されている。この回動方向は打出通路１１内に詰まったステープルＳによってフェースプレート９の回転抵抗が少ない方向であり、フェースプレート９の回動操作が容易に行えるものである。
【００１３】
図４及び図５に示すように、フェースプレート９と一体に形成されている一方の支持片１２とカートリッジとの間に、フェースプレート９を供給ガイド８の前端面と対向した位置に保持して打出通路１１を形成するように保持させる保持手段１４が形成されている。更にこの保持手段１４によるフェースプレート９と供給ガイド８との係合を解除させる解除操作部１５が供給ガイド８の内部に形成されており、前記供給ガイド８の上面には解除操作部１５と対向させた開口１６が形成されている。前記開口１６から棒状形状の工具を供給ガイド８内へ挿入して前記解除操作部１５を操作することによってフェースプレートとカートリッジ本体との係合を解除させるようにしている。このように保持手段１４の解除操作部１５をカートリッジ１の内部に形成することによって不用意に解除操作部１５を操作してしまったり、又は電動ホッチキスへのカートリッジ１の装着操作時に解除操作部１５が電動ホッチキスの他の部品と接触して操作されてしまうことがない。
【００１４】
以下、前記保持手段１４の実施例について詳細に説明する。保持手段１４は、フェースプレート９の支持片１２に形成された係合孔１７と、供給ガイド８に対してスライド可能に配置され前記係合孔１７と係合してフェースプレート９の回動を阻止する係止部材１８によって構成されている。係止部材１８の端部には前記係合孔１７内に進入してフェースプレート９の回動を阻止する係止爪１９が形成されており、係止部材１８は供給ガイド８に形成された凹部内に収容されて前記係止爪１９が供給ガイド８の側面から突出されるように水平方向にスライド可能に支持されている。更に、係止部材１８は前記係止爪１９が供給ガイド８の側面から突出する方向にバネ２０によって付勢されており、通常状態では係止部材１８の係止爪１９が供給ガイド８の側面方向に突出されてフェースプレート９の支持片１２に形成されている係合孔１７内に進入してフェースプレート９を供給ガイド８の前端面と対峙させて打出通路１１を形成する位置に保持している。
【００１５】
図６に示すように、前記係止部材１８には供給ガイド８の外側から挿入される工具等によって前記係止部材１８をスライド移動させるための操作傾斜面２１が係止部材１８の側面に一体に形成されており、この操作傾斜面２１が供給ガイド８の上面に形成されている解除操作用の開口１６と対向して配置されている。解除操作用の開口１６は作業者の指が供給ガイド８内へ進入できない程度に小さく形成されており、この開口１６からドライバ等の工具の先端を供給ガイド８内に挿入することによって、図７に示すように工具の先端が操作傾斜面２１と係合して係止部材１８をバネ２０の付勢力に抗してスライド移動させ、これによって係止部材１８の先端に形成されている係止爪１９とフェースプレート９の支持片１２に形成されている係合孔１７との係合が解離されてフェースプレート９を打出通路１１を形成している状態から、打出通路１１を開放するように回動させることが可能となる。
【００１６】
前記係止部材１８の係止爪１９の下面側には傾斜ガイド面２２が形成されており、フェースプレート９を打出通路１１を開放した状態から打出通路１１を形成させる方向に回動させたときに、フェースプレート９の支持片１２がこの傾斜ガイド面２２と係合することによって係止部材１８が傾斜ガイド面２２に沿ってバネ２０による付勢力に抗してスライド移動されて供給ガイド８の内方へ退避されてフェースプレート９の回動が許容される。フェースプレート９が打出通路１１を形成する位置まで回動されるとバネ２０により係止部材１８が突出方向に移動されて係止爪１９が係合孔１７内に突入してフェースプレート９を係合させる。
【００１７】
なお、上記カートリッジは電動ステープラに適用した場合の例であるが、通常のステープラに適用することもできる。
【００１８】
【発明の効果】
上記の通り本発明のカートリッジによれば、打出通路を形成するフェースプレートの両側縁から支持片を一体に形成し、該支持片を介してフェースプレートをカートリッジに回動可能に取り付けるとともに、前記フェースプレートを打出通路を形成する位置に保持する保持手段を設け、更に該保持手段によるフェースプレートの保持状態を解除させる解除操作部をカートリッジの内部に形成しているので、ステープルの脚先が露出している打出通路の先端部に指先を接近させることなくフェースプレートを回動操作することが可能でありステープルの脚先によって指に怪我をしてしまうことが防止できる。
【００１９】
更に、前記保持手段による保持状態の解除操作を行う解除操作部がカートリッジの内部に形成されているので、不用意に解除操作部を操作してしまったり又は、カートリッジをホッチキス本体に装着する際に解除操作部がホッチキス本体に接触して操作されてしまうことが防止でき、コ字状に成形された先頭のステープルがフェースプレートに形成されているステープルガイド溝から逸脱してステープルジャムを発生させてしまうことが防止できる。
【図面の簡単な説明】
【図１】電動ホッチキスに装着される本発明のカートリッジの側面図
【図２】図１と同じカートリッジの打ち込み通路を開放させた状態の縦断側面図
【図３】図１と同じカートリッジの一部を示す斜視図
【図４】図１と同じカートリッジの保持手段を示す一部断面下平面図
【図５】保持手段を構成している係止部材の斜視図
【図６】フェースプレートを保持している状態の保持手段の縦断側面図
【図７】フェースプレートの保持が解除された状態の保持手段の横断平面図
【図８】フェースプレートの保持が解除された状態の保持手段の縦断側面図
【符号の説明】
１  カートリッジ
３  打出部
８  供給ガイド
９  フェースプレート
１１  打出通路
１２  支持片
１４  保持手段
１５  解除操作部
１６  開口
１７  係合孔
１８  係止部材
１９  係止爪
２０  バネ
２１  操作傾斜面
２２  傾斜ガイド面
【図１】
2004291101.tif 000003
【図２】
2004291101.tif 000004
【図３】
2004291101.tif 000005
【図４】
2004291101.tif 000006
【図５】
2004291101.tif 000007
【図６】
2004291101.tif 000008
【図７】
2004291101.tif 000009
【図８】
2004291101.tif 000010